(57)【要約】【課題】高い精度で遅延時間を制御できる可変遅延回路を用いた半導体集積回路装置を提供することを目的とする。【解決手段】入力クロック信号を遅延させる第１のＤＬＬ回路３と、第１のＤＬＬ回路よりも高い精度で遅延を制御できる第２のＤＬＬ回路１０とを有し、第１及び第２のＤＬＬ回路の位相比較（３１、１４）を独立に動作させ、かつ第２のＤＬＬ回路の遅延量制御を第１のＤＬＬ回路の動作に従属させることで、入力クロック信号に対し所定の位相関係を有する出力クロック信号を出力するように第１及び第２のＤＬＬ回路で遅延を与える半導体集積回路装置。【選択図】図５
2006166482.tif 000002
【特許請求の範囲】
【請求項１】
移動通信方式における受信パケットに誤りがないことを示すＡＣＫ信号と誤りが含まれていることを示すＮＡＣＫ信号を、受信側から送信側に送信して、自動再送要求を行う通信方法において、
移動局から送信された信号を複数の基地局が同時に受信する上りリンクサイトダイバーシチ受信を行う場合、
受信側の前記複数の基地局でＡＣＫ／ＮＡＣＫ信号を生成して前記移動局及び前記複数の基地局の上位局に送信し、送信側の前記移動局で複数基地局からのＡＣＫ／ＮＡＣＫ信号を用いて再送制御を行うことを特徴とする通信方法。
【請求項２】
請求項１記載の通信方法において、
前記複数の基地局の上位局は、前記複数の基地局からＡＣＫ／ＮＡＣＫ信号を受信して、ｎ（ｎは１以上）個以上のＡＣＫ信号を受信したとき、ＡＣＫ信号を生成して、各基地局に送信することを特徴とする通信方法。
【請求項３】
請求項１又は２記載の通信方法において、
前記移動局は、前記複数の基地局からＡＣＫ／ＮＡＣＫ信号を受信して、ｎ（ｎは１以上）個以上のＡＣＫ信号を受信したとき、受信側で正常に受信したと判断することを特徴とする通信方法。
【請求項４】
移動通信方式における受信パケットに誤りがないことを示すＡＣＫ信号と誤りが含まれていることを示すＮＡＣＫ信号を、受信側から送信側に送信して、自動再送要求を行う通信方法において、
移動局から送信された信号を複数の基地局が同時に受信する上りリンクサイトダイバーシチ受信を行う場合、
前記複数の基地局の上位局でＡＣＫ／ＮＡＣＫ信号を生成し、前記複数の基地局は、上位局で生成した同一のＡＣＫ／ＮＡＣＫ信号を、前記移動局に送信することを特徴とする通信方法。
【請求項５】
移動通信方式における受信パケットに誤りがないことを示すＡＣＫ信号と誤りが含まれていることを示すＮＡＣＫ信号を、受信側から送信側に送信して、自動再送要求を行う通信方法において、
複数の基地局から送信された信号を、移動局で受信する下りリンクサイトダイバーシチ受信を行う場合、
前記移動局において、受信パケットを復調してＡＣＫ／ＮＡＣＫ信号を生成して送信し、
前記複数の基地局の上位局は、前記ＡＣＫ／ＮＡＣＫ信号を受信して、ｎ（ｎは１以上）個以上のＡＣＫ信号を受信したとき、前記複数の基地局で正常に受信したと判断して、前記複数の基地局での再送制御が行われることを特徴とする通信方法。
【請求項６】
ＡＣＫ／ＮＡＣＫ信号を用いて、自動再送要求を行う基地局であって、移動局から送信された信号を複数の基地局が同時に受信して上りリンクサイトダイバーシチ受信を行う基地局において、
ＡＣＫ／ＮＡＣＫ信号を生成して移動局及び複数の基地局の上位局に送信する手段と、
前記複数の基地局の前記上位局からの同一のＡＣＫ／ＮＡＣＫ信号を受信する手段とを有することを特徴とする基地局。
【請求項７】
ＡＣＫ／ＮＡＣＫ信号を用いて、自動再送要求を行う基地局であって、移動局から送信された信号を複数の基地局が同時に受信して上りリンクサイトダイバーシチ受信を行う基地局において、
受信した受信パケットを前記複数の基地局の上位局に転送する手段と、
前記複数の基地局の前記上位局からの同一のＡＣＫ／ＮＡＣＫ信号を受信して、受信した信号を転送する手段とを有することを特徴とする基地局。
【請求項８】
ＡＣＫ／ＮＡＣＫ信号を受信して、再送制御を行う基地局であって、移動局から送信されたＡＣＫ／ＮＡＣＫ信号を複数の基地局が同時に受信して下りリンクサイトダイバーシチ受信を行う基地局において、
受信したＡＣＫ／ＮＡＣＫ信号を前記複数の基地局の上位局に転送する手段と、
前記複数の基地局の上位局から前記ＡＣＫ／ＮＡＣＫ信号に関する信号を受信して、再送制御を行う手段とを有することを特徴とする基地局。
【発明の詳細な説明】
【技術分野】
【０００１】
本発明は移動通信環境下において、自動再送要求(ＡＲＱ)を用いるパケット伝送に関するものである。
【背景技術】
【０００２】
近年、インターネットの普及に伴い、移動通信におけるデータ通信の需要が飛躍的に伸びてきており、次世代移動通信方式(IMT-2000)よりもさらに高速、大容量の移動通信の実現が期待されている。データ通信においては、様々な伝送速度、要求品質を有する情報の伝送が要求されるため、データを一定量のパケットに分割して送信するパケット伝送が有効である。
【０００３】
また、データ通信では、音声通信と異なりデータに誤りが存在することが許されないことを考慮すると、自動再送要求(ＡＲＱ：Automatic  Repeat  reQuest)が有効な方法である(非特許文献１参照。)。ＡＲＱは、送信側で、情報信号系列に誤り検出符号を付加したパケットを送信し、受信側において、受信パケットに誤りが検出された場合、そのパケットの再送要求を送信側へ行う。送信側では、再送要求を受けたパケットを再度送信し、受信側で誤りが検出されなくなるまで繰り返す技術である。これにより、エラーフリー伝送が実現できる。
【０００４】
ＡＲＱでは、伝搬路環境が悪い場合、再送要求が頻発し、特性が大幅に劣化する。これを改善するため、誤り検出符号に加え、誤り訂正符号を用いて、誤りの発生を低減するHybrid ＡＲＱが提案されている。Hybrid ＡＲＱには、既送信パケットと同一のパケットを送信するType-Iと、既送信パケットと再送パケットでは、異なる消去規則によるパンクチャド符号を用いて送信するType-II/IIIがある。受信側の処理は、Type-Iでは、受信パケットに誤りを含む場合、受信側で保存しておき、再送パケットが受信された後、両パケットをシンボル毎に合成することにより、受信信号電力対雑音電力比(ＳＮＲ)の向上を図るパケット合成（Packet Combining）を行う方法が検討されている(非特許文献２参照。)。  一方、Type-II/IIIでは、既送信パケットと再送パケットの消去規則に基づき、原符号を復元し、低い符号化率の原符号で復号することにより、符号化率の向上を図ることができる符号合成（Code  Combining）を行う(非特許文献３参照。)。
【０００５】
また、IMT-2000では、最大２Ｍbpsの情報伝送が実現されるが、今後の需要を考えると、さらなる高速化が必要である。そこで、伝搬路状況が良好な場合には、変調多値数、符号化率を変更することにより、帯域を広げることなく、伝送速度を向上させることのできる、可変レート方式の適用が検討されている(非特許文献４参照。)。また、可変レート方式を用いた場合のＡＲＱに関しては、非特許文献５において、検討されている。この文献では、受信側で伝搬路状況を推定し、その結果に基づいて、変調多値数、符号化率、シンボルレートといった送信パラメータを決定している。
【０００６】
一方で、IMT-2000とのコモナリテイを考えると、アクセス方式としてはＣＤＭＡが有力であり、ＣＤＭＡ特有の技術である、送信電力制御、サイトダイバーシチとＡＲＱとの複合的な技術が要求されている。ＣＤＭＡは、同一周波数を他ユーザと共有するため、所要以上の電力を送信すると、その帯域を使えるユーザ数が減少する。そこで、送信電力を必要以上に送信しないために、送信電力制御を行っている。例えば、受信側での受信電力が、均一になるように、受信側から送信側に送信電力制御信号（例えば、送信側の電力を上げるコマンド又は送信側の電力を下げるコマンド；ＴＰＣ）を送信して、送信側の送信電力を制御する。
【０００７】
また、ＣＤＭＡでは、１周波数繰り返しであるために、２つ以上のセルからの信号を時間的にオーバーラップして受信/送信するサイトダイバーシチを行っている。
【非特許文献１】"Automatic repeat request error control  schemes、"S.Lin、D.J.Costello、and M.J. Miller、IEEE Trans.Commun.Mag.、vol.22、PP.5-17、Dec.1984
【非特許文献２】"A Diversity Combining  DS/CDMA system with convolutional encoding and Viterbi decoding、"S.Souissi and S.Wicker IEEE Trans.Veh. Techol.、vol.44、No.2、PP.304-312、May 1995)。
【非特許文献３】"Rate-compatible punctured convolutional codes and their applications ,”J.Hagenauer, IEEE Trans.Commun.、vol.36、pp.389-400、April 1988
【非特許文献４】"可変シンボルレート・変調多値数適応変調方式の伝送特性、"上豊樹、三瓶政一、森永規彦、RCS95-30、1995
【非特許文献５】適応変調方式を用いたパンクチャド符号化Type-II Hybid ＡＲＱ方式、"内條正志、三瓶政一、森永規彦、神尾享秀、RCS96-20. 1996
【発明の開示】
【発明が解決しようとする課題】
【０００８】
従来、自動再送要求において送信側ヘフイードバックされるＡＣＫ／ＮＡＣＫ信号は、再送要求の制御信号としてしか用いられていない。しかしながら、ＡＣＫ信号が連続してフィードバックされた場合、その送受信間の通信状況が良いことを示しており、ＮＡＣＫ信号が連続する場合は、通信状況が悪いことを示している。
【０００９】
そこで、本発明は、ＡＲＱ方式におけるＡＣＫ／ＮＡＣＫ信号を利用して、伝送特性を改善することを目的としている。
【課題を解決するための手段】
【００１０】
上記課題を解決するために、本件発明は、以下の特徴を有する課題を解決するための手段を採用している。
【００１１】
請求項１に記載された発明は、移動通信方式における受信パケットに誤りがないことを示すＡＣＫ信号と誤りが含まれていることを示すＮＡＣＫ信号を、受信側から送信側に送信して、自動再送要求を行う通信方法において、移動局から送信された信号を複数の基地局が同時に受信する上りリンクサイトダイバーシチ受信を行う場合、受信側の前記複数の基地局でＡＣＫ／ＮＡＣＫ信号を生成して移動局及び前記複数の基地局の上位局に送信し、送信側の移動局で複数基地局からのＡＣＫ／ＮＡＣＫ信号を用いて再送制御を行うことを特徴とする。
【００１２】
請求項１記載の発明によれば、上りリンクサイトダイバーシチ受信を行っている場合でも、上位局と移動局がパケット誤りの有無の判断を独立に行うことが可能となる。特に移動局では、上位局からの最終的な判断を待つことなく独立に再送制御を行うことができるため、処理遅延を低減できると共に、送信バッファ量を削減することができる。
【００１３】
請求項２に記載された発明は、請求項６記載の通信方法において、前記複数の基地局の上位局は、前記複数の基地局からＡＣＫ／ＮＡＣＫ信号を受信して、ｎ（ｎは１以上）個以上のＡＣＫ信号を受信したとき、ＡＣＫ信号を生成して、各基地局に送信することを特徴とする。
【００１４】
請求項３に記載された発明は、請求項１又は２記載の通信方法において、前記移動局は、前記複数の基地局からＡＣＫ／ＮＡＣＫ信号を受信して、ｎ（ｎは１以上）個以上のＡＣＫ信号を受信したとき、受信側で正常に受信したと判断することを特徴とする。
【００１５】
請求項２及び３記載の発明は、請求項１記載の発明において、移動局又は上位局で前記複数の基地局からＡＣＫ／ＮＡＣＫ信号を受信して、ｎ（ｎは１以上）個以上のＡＣＫ信号を受信したとき、正常に受信したと判断することを規定したものである。
【００１６】
請求項４に記載された発明は、移動通信方式における受信パケットに誤りがないことを示すＡＣＫ信号と誤りが含まれていることを示すＮＡＣＫ信号を、受信側から送信側に送信して、自動再送要求を行う通信方法において、移動局から送信された信号を複数の基地局が同時に受信する上りリンクサイトダイバーシチ受信を行う場合、前記複数の基地局の上位局でＡＣＫ／ＮＡＣＫ信号を生成し、複数の基地局は、上位局で生成した同一のＡＣＫ／ＮＡＣＫ信号を、移動局に送信することを特徴とする。
【００１７】
請求項４記載の発明によれば、複数の基地局からのパケットが合成されるため、受信パケットの信頼度が向上される。移動局では、複数基地局から送信される同一のＡＣＫ／ＮＡＣＫ信号を用いて、信頼度の高い再送制御を行うことができる。
【００１８】
請求項５に記載された発明は、移動通信方式における受信パケットに誤りがないことを示すＡＣＫ信号と誤りが含まれていることを示すＮＡＣＫ信号を、受信側から送信側に送信して、自動再送要求を行う通信方法において、複数の基地局から送信された信号を、移動局で受信する下りリンクサイトダイバーシチ受信を行う場合、移動局において、受信パケットを復調してＡＣＫ／ＮＡＣＫ信号を生成して送信し、前記複数の基地局の上位局は、前記ＡＣＫ／ＮＡＣＫ信号を受信して、ｎ（ｎは１以上）個以上のＡＣＫ信号を受信したとき、前記複数の基地局で正常に受信したと判断して、前記複数の基地局での再送制御が行われることを特徴とする。
【００１９】
請求項５記載の発明によれば、下りリンクサイトダイバーシチのために送信を行っている複数の基地局が同一のＡＣＫ／ＮＡＣＫ信号に従って送信を行うため、移動局においてサイトダイバーシチ効果を得ることができる。
【００２０】
請求項６〜８記載の基地局は、請求項１〜５に記載された通信方法に適した基地局を規定したものである。
【発明の効果】
【００２１】
本発明によれば、ＡＲＱ方式におけるＡＣＫ／ＮＡＣＫ信号を利用して、伝送特性を改善することができる。
【発明を実施するための最良の形態】
【００２２】
以下、図面を用いて本発明の実施の形態を説明する。
【００２３】
図１は、３段階以上で示されるＡＣＫ／ＮＡＣＫ信号を生成することを特徴とする自動再送要求における送信側、受信側の制御フローの一実施例を表した図である。
【００２４】
送信側では、送信バッファから新規パケット又は再送パケットを送信する（Ｓ１１）。受信側では、そのパケットを受信し（Ｓ２１）、復調を行うとともにその復調パケットの信頼度を表す信頼度を計算し信頼度情報を得る（Ｓ２２）。
【００２５】
信頼度を求める方法としては、例えばパケットが畳み込み符号による誤り訂正符号化が行われている場合には、復号の際にビタビ復号を用いていればその復号の過程で計算されるパスメトリックの値を用いることができる。最終のパスメトリック値が小さいほど、その復号信号が、より確からしいことを示すため、この値を受信パケットの信頼度として用いることができる。また、その他の信頼度としては、そのパケットを受信したときの受信信号電力のレベル、又は、そのパケットを受信したときの希望受信信号電力対干渉電力比(ＳＩＲ)を用いることができる。受信電力が大きい、又は、ＳＩＲが大きいときには、信頼度が高いと判断し、その逆であれば信頼度が低いと判断できる。
【００２６】
続いて、復調パケットに誤りが含まれるかどうかを、例えば、誤り検出符号を用いて検出する（Ｓ２３）。この誤り検出結果と、パケット信頼度を用いて、３段階以上で示されるＡＣＫ／ＮＡＣＫ信号を生成し（Ｓ２４、Ｓ２５）、送信側ヘフイードバックする。
【００２７】
従来の２段階、つまりパケット内の誤りの有無でＡＣＫ／ＮＡＣＫ信号を生成し送信側ヘフィードバックする場合には、例えばＡＣＫに０の信号を、ＮＡＣＫに１の信号を割り当てればよい。それに対して、３段階以上でＡＣＫ／ＮＡＣＫ信号を生成する場合には、例えば表１に示されるように、誤りが検出されず信頼度が最も高い場合には、000で示されるＡＣＫ信号を割り当て、以下は信頼度に応じてＮＡＣＫ(０)からＮＡＣＫ(６)までそれぞれ001から111に対応する信号を割り当てることができる。
【００２８】
【表１】
2006166482.tif 000003
このようにして、受信パケットの信頼度に応じて３段階以上で示されるＡＣＫ／ＮＡＣＫ信号を生成することができる。表１では８段階のＡＣＫ／ＮＡＣＫ信号を生成する例を示しているが、その段階数は自由に設定することが可能である。
【００２９】
この後、送信側では、ＡＣＫ／ＮＡＣＫ信号を受信して、ＡＣＫかＮＡＣＫかの識別を行う（Ｓ１２）。ＡＣＫ信号を受信した場合は、送信バッファから送信したパケットを削除して、送信パケットを新規パケットに設定する（Ｓ１３）。また、ＮＡＣＫ信号を受信した場合は、送信パケットを再送パケットに設定する（Ｓ１４）。従って、ＡＣＫ信号を受信した場合は、新規パケットを送信し、ＮＡＣＫ信号を受信した場合は、再送パケットが送信される。
【００３０】
図２は、受信パケットの信頼度に応じて、受信パケットを保存するか、破棄するかを決定することを特徴とする自動再送制御方式の制御フローを示した図の一実施例である。
【００３１】
送信側では、図１と同様の方法で、新規パケット又は再送パケットを送信する。送信側では、受信側でそのパケットが新規であるのか再送であるのかを判断できるように、パケット内の制御情報として、新規パケットか再送パケットかの識別信号を含めた信号を送信する（Ｓ３１）。受信側では、パケットを受信し（Ｓ４１）、そのパケットを前述の識別信号から、新規パケットであるか再送パケットであるかを判断する（Ｓ４２）。初めて受信した新規パケットであると判断した場合は、次の処理へ進むが、再送パケットと判断した場合には、受信バッファに保存してある過去に受信された同一のパケットとの合成を行う（Ｓ４３）。
【００３２】
このパケットの合成を行うことにより、より信頼度の高い受信パケットを生成することができる。今回受信したパケットと過去に受信した同一のパケットの合成法としては、例えば、上記のパケット合成、符号合成などを用いることができる。さらに、新規パケットであれば受信パケット、再送パケットであれば合成パケットの復調を行うとともに、図１の説明で示したのと同様にそれらのパケットの信頼度を計算し信頼度情報を得る（Ｓ４４）。
【００３３】
続いて、復調パケットに誤りが含まれるかどうかを、例えば、誤り検出符号を用いて検出する（Ｓ４５）。誤りがない場合にはＡＣＫ信号を生成し（Ｓ４６）、更に、再送パケットである場合にはバッファに保存しておいたパケットを削除する（Ｓ４７）。
【００３４】
誤りが検出された場合には、ＮＡＣＫ信号を生成し（Ｓ４８）、受信パケットの信頼度情報に応じて、誤りの検出されたパケットを受信側のバッファに保存しておくかの判断を行う。これは、受信パケットの信頼度が非常に低い場合、そのパケットを保存し、再送パケットと合成しても、合成の効果は少ない。逆に合成により、誤りを発生させる可能性が高くなる場合もあるため、受信パケットの信頼度に応じて、信頼性が高い場合には保存し、低い場合には破棄する（Ｓ４９）。以下の処理フローは、図１と同じであるので、説明を省略する。
【００３５】
このように信頼度があるしきい値以上のパケットのみをバッファに保存することにより、バッファの必要な容量を削減することも可能であり、有効である。
【００３６】
図３は、受信側からフィードバックされるＡＣＫ／ＮＡＣＫ信号に応じて、送信側において、送信パラメータを制御することを特徴としたパケット伝送の制御フローの一実施例を示した図である。
【００３７】
図３における送信側における新規パケット又は再送パケットの送信（Ｓ６１）及び受信側におけるパケットの受信（Ｓ７１）、パケットの復調（Ｓ７２）、誤りの有無（Ｓ７３）、ＡＣＫ信号生成（Ｓ７４）、ＮＡＣＫ信号生成（Ｓ７５）及びＡＣＫ／ＮＡＣＫ信号の送信側への送信（Ｓ７６）は、一般のＡＲＱ方式と同じであるので、説明を省略する。
【００３８】
受信したＡＣＫ／ＮＡＣＫ信号に基づいて、送信側の変調パラメータを変更する（Ｓ６２）点が、この実施例の特徴である。
【００３９】
つまり、受信したＡＣＫ／ＮＡＣＫ信号に基づいて、伝送回線の通信状態のレベルを判定し、このレベルに応じて、送信側で送信パラメータを制御するものである。
【００４０】
送信パラメータとしては、変調多値数、符号化率、シンボルレート、送信電力値などがあり、例えば表２から６に示されるように、レベル数に対応したパラメータを設定する。
【００４１】
表２は、レベル数に対応して変調多値数を設定するものであり、表３は、レベル数に対応して符号化率を設定するものであり、表４は、レベル数に対応してシンボルレートを設定するものであり、表５は、レベル数に対応して送信電力値を設定するものである。
【００４２】
【表２】
2006166482.tif 000004
【００４３】
【表３】
2006166482.tif 000005
【００４４】
【表４】
2006166482.tif 000006
【００４５】
【表５】
2006166482.tif 000007
これらの表において、レベルの数が大きいほど送信側と受信側の通信状態が良い場合であり、それに見合ったパラメータが設定される。送信側でＡＣＫ／ＮＡＣＫ信号に基づいて変調パラメータを操作する方法として、例えばＡＣＫ／ＮＡＣＫ信号の履歴を用いて制御を行うことができる。これは、ＡＣＫ信号が連続するということは送受信間の通信状況が良い場合であり、ＮＡＣＫ信号が連続する場合は通信状況が劣化していることを示している。従って、ＡＣＫ信号がある回数連続して受信された場合には表２から表５に示された各パラメータにおけるレベルを、現状のレベルよりも上げる操作を行い、逆にＮＡＣＫ信号がある回数連続して受信された場合には、逆に現在のレベルよりも下げる操作を行う。また、この制御は受信側で生成されるＡＣＫ／ＮＡＣＫ信号に基づいて行われるため、変調パラメータの変更方法を送信側、受信側で決めておけば、送信側から送信パケットの変調パラメータを通知する必要がなく、有効である。
【００４６】
図４は、ＣＤＭＡパケット伝送において、受信側で受信品質が一定となるよう周期的に送信側の送信電力を制御する場合に、ＡＣＫ／ＮＡＣＫ信号と、送信側の送信電力を補正制御する信号(送信電力制御コマンド)の両信号を複合的に用いることを特徴とする送信電
送信側では、送信バッファから新規パケット又は再送パケットを送信する（Ｓ８１）。受信側では、そのパケットを受信する（Ｓ９１）。
【００４７】
例えば、受信レベルから、送信側の送信電力を制御するコマンドを生成する（Ｓ９６）。受信側で受信品質が一定となるように、送信側の送信電力を制御するコマンドを生成する。
【００４８】
なお、受信品質とは、受信側で測定される誤り率、信号電力対干渉電力比(ＳＩＲ)値、受信信号電力レベルなどである。これらの測定値に対して、目標値を設定し、測定値が目標品質を満たしていない場合には、送信電力を増加させるため、送信電力制御コマンドＵｐを、品質を満たしている場合には、送信電力を減少させる命令としてＤｏｗｎを設定する。
【００４９】
また、同時に、受信側では、受信した信号からパケットの復調を行い（Ｓ９２）、復調パケットに誤りが含まれるかどうかを、例えば、誤り検出符号を用いて検出する（Ｓ９３）。誤りがない場合にはＡＣＫ信号を生成し（Ｓ９４）、再送パケットである場合にはバッファに保存しておいたパケットを削除する。誤りが検出された場合には、ＮＡＣＫ信号を生成する（Ｓ９５）。このＡＣＫ／ＮＡＣＫ信号と上記送信電力制御コマンドを送信側へ送信する（Ｓ９７）。
【００５０】
受信側では、送信電力制御コマンド・ＡＣＫ／ＮＡＣＫ信号を受信して、送信電力を変更する（Ｓ８２）。
【００５１】
この送信電力制御コマンドと、ＡＣＫ／ＮＡＣＫ信号との複合的に用いる送信電力制御方法としては、次のような方法が考えられる。
【００５２】
一実施例として、ＡＣＫ／ＮＡＣＫ信号と送信電力制御コマンド（ＴＰＣ）との組み合わせは、表６に示すように４通りの場合が考えられる。
【００５３】
【表６】
2006166482.tif 000008
送信電力制御コマンドがＤｏｗｎでかつＡＣＫ信号である場合には、４通りの中で通信品質が最も良いと判断できる状況であり、逆に送信電力制御コマンドがＵｐでかつＮＡＣＫ信号である場合には４通りの中で通信品質が最も悪い状況と判断できる。
【００５４】
また、表６においてｘ0＝０(dB)に設定すれば送信電力制御コマンドから判断される通信状況とＡＣＫ／ＮＡＣＫ信号から判断される通信状況が一致する場合にのみ、送信電力制御が行われることになる。
【００５５】
これにより、送信電力制御コマンドだけでなく、通信状況の判断基準としてＡＣＫ／ＮＡＣＫ信号を用いることで、より確実な通信品質の判断が可能となり、ＣＤＭＡパケット伝送における電力制御に有効である。
【００５６】
また、直前のＡＣＫ／ＮＡＣＫ信号だけではなく、過去のＡＣＫ／ＮＡＣＫ信号の履歴も送信電力制御コマンドと併用して判断基準とすることもできる。
【００５７】
この後、送信側では、ＡＣＫ／ＮＡＣＫ信号を受信して、ＡＣＫかＮＡＣＫかの識別を行う（Ｓ８３）。ＡＣＫ信号を受信した場合は、送信バッファから送信したパケットを削除して、次に送信する送信パケットを新規パケットに設定する（Ｓ８４）。また、ＮＡＣＫ信号を受信した場合は、送信パケットを再送パケットに設定する（Ｓ８５）。
【００５８】
図５、６、７、８は、自動再送要求を用いたパケット伝送において、受信側からフィードバックされるＡＣＫ／ＮＡＣＫ信号に基づく送信パラメータ制御において、情報伝送速度が変更された場合、送信側でパケットを再構築して再送し、既送信パケットと再構築再送パケットを用いて合成することを特徴とするパケット伝送におけるパケット構成例を示した一実施例である。
【００５９】
既送信パケットの情報伝送速度をＭ、１パケット当りに含まれる情報量をｍ、１パケットの時間軸上の長さを１パケット周期と定義し、１パケット周期をＬとする。このパケットに誤りが含まれ、再送パケットが送信される場合を考える。  まず、図３に示した送信パラメータ制御により、再送時の情報伝送速度がＭ／ｎに減少したとする。このとき、既送信パケットと、再送パケットを受信側で合成するために、再送パケットのパケット構成を以下のように再構築する。
【００６０】
図５に示すように、再送パケットの１パケットのパケット周期を既送信パケットと同様にＬとする。この場合、１パケット当りに含まれる情報量がｍ/ｎとなるため、１パケットの再送では、情報量が１／ｎとなり、合成を行うことが難しい。そのため、図５に示すように、ｎパケット用いることにより、既送信パケットと同量の情報を伝送することができる。このようにすることにより、受信側では、１個の既送信パケットとｎ個の再送パケットを合成することが可能となる。この例では、再送パケットを既送信パケットのシンボル１からｍまでを順に並べた構成としているが、インターリーブを掛けることも可能である。
【００６１】
ただし、この場合、ｎ個の再送パケットがすべて受信されるまでパケット合成を行うことができない。この遅延時間を減少させるため、ＣＤＭＡパケット伝送においては、拡散率を低下させることにより、遅延時間を削減することができる。
【００６２】
また、図６に示すように、ｎ個の再送パケットに別々の拡散符号（符号１〜符号ｎ）を割り当て、同時に送信することにより、遅延時間を削減することもできる。
【００６３】
続いて、再送時の伝送速度が、ｎ×Ｍに上昇したとする。このとき、既送信パケットと、再送パケットを受信側で合成するために、再送パケットのパケット構成を以下のように再構築する。
【００６４】
図７に示すように、再送パケットの１パケットのパケット周期を既送信パケットと同様にＬとする。この場合、１パケット当りに含まれる情報量がｎ×ｍとなるため、既送信パケットの情報量と比較して、ｎ倍の情報伝送が可能となる。そのため、図７に示すように、例えば、同一情報をｎ回繰り返すパケット構成とする。また、この場合もインターリーブを掛けることが可能である。
【００６５】
また、再送時の伝送速度が、ｎ×Ｍに上昇する場合の別のパケット構成例を図８に示す。上述の場合とは異なり、この図８に示すように、パケット周期をL/ｎとする。これにより、１パケットに含まれる情報量が、既送信パケットと同様にｍとなるため、受信側で、１個の既送信パケットと、１個の再送パケットを合成することが可能となる。
【００６６】
図９は、ＣＤＭＡパケット伝送において、移動局から送信された信号を複数の基地局が同時に受信する上りリンクサイトダイバーシチ受信を行う場合に、各基地局でＡＣＫ／ＮＡＣＫ信号を生成して移動局にフィードバックし、移動局側で複数基地局(基地局数：Ｍ)からのＡＣＫ／ＮＡＣＫ信号を用いて再送制御を行う自動再送要求の制御フローを表した一実施例である。
【００６７】
移動局では、送信バッファから新規パケット又は再送パケットを送信する（Ｓ１０１）。基地局側では、そのパケットを受信し（Ｓ１１１、Ｓ１２１）、復調し（Ｓ１１２、Ｓ１２２）、誤りの有無を検出し（Ｓ１１３、Ｓ１２３）、ＡＣＫ信号（Ｓ１１４、Ｓ１２４）又はＮＡＣＫ信号（Ｓ１１５、Ｓ１２５）を生成し、ＡＣＫ／ＮＡＣＫ信号を送信側と上位局へ送信（Ｓ１１６、Ｓ１２６）する。
【００６８】
各基地局は、サイトダイバーシチを行わない場合と同様に、ＡＣＫ／ＮＡＣＫ信号を移動局ヘフイードバックする。さらに上位局へも、ＡＣＫ／ＮＡＣＫ信号及びＡＣＫ信号の場合は、復調パケットを送信する。
【００６９】
上位局では、Ｍ個の基地局から送られてくるＡＣＫ／ＮＡＣＫ信号のうち、ｎ個(１≦ｎ≦Ｍ)以上のＡＣＫ信号があるか否かを判断する（Ｓ１３１）。ＡＣＫ信号がｎ個以上受信された場合には（Ｓ１３２）、復調パケットが正しく受信されたと判断して、ＡＣＫ（ＲＮＣ）信号を、ｎ個未満の場合は（Ｓ１３３）、正しく復調されなかったと判断してＮＡＣＫ（ＲＮＣ）信号を、各基地局ヘフィードバックする（Ｓ１３４）。
【００７０】
基地局側では、このＡＣＫ／ＮＡＣＫ信号（ＲＮＣ）信号を受信して（Ｓ１１７、Ｓ１２７）、受信バッファの管理に用いる。これにより、基地局間で同一のＡＣＫ／ＮＡＣＫ信号に従うため、受信バッファ管理が可能となる。
【００７１】
一方移動局は、複数の基地局(基地局数Ｍ)からフィードバックされたＡＣＫ／ＮＡＣＫ信号のみを用いて、上位局と同様の判断により再送制御を行う。つまり、ＡＣＫ信号がｎ個(１≦ｎ≦Ｍ)以上受信された場合には、そのパケットは受信側で正しく復調されたと判断し、送信パケットを新規パケットに設定し（Ｓ１０４）、ｎ個未満の場合は、正しく復調されなかったとして、送信パケットを再送パケットに設定して再送を行う（Ｓ１０４）。
【００７２】
これにより、上りリンクサイトダイバーシチ受信を行っている場合でも、上位局と移動局がパケット誤りの有無の判断を独立に行うことが可能となる。特に移動局では、上位局からの最終的な判断を待つことなく独立に再送制御を行うことができるため、処理遅延を低減できると共に、送信バッファ量を削減できる。
【００７３】
また、伝送路中の誤りの発生により、移動局と基地局間において、送受バッファ管理が異なる可能性がある。このような場合に対応するため、例えば、基地局においてタイマーを設置し、一定期間経過しても受信バッファに蓄えたパケットが受信されない場合、そのパケットを破棄する、又は、移動局側へそのパケットの再送要求を行う制御を加えることもできる。
【００７４】
図１０は、ＣＤＭＡパケット伝送において、移動局から送信された信号を複数の基地局(基地局数：Ｍ)が同時に受信する上りリンクサイトダイバーシチ受信を行う場合に、基地局よりも上位にある上位局においてＡＣＫ／ＮＡＣＫ信号を生成し、複数の基地局を通じて、上位局で生成された同一のＡＣＫ／ＮＡＣＫ信号を移動局へ送信することにより、再送制御を行う自動再送要求の制御フローを表した一実施例である。
【００７５】
各基地局は、受信パケットを受信すると（Ｓ１５１、Ｓ１６１）、上位局へ受信パケットを送信する（Ｓ１５２、１６２）。上位局において、複数の基地局から送信された受信パケットを受信して（Ｓ１７１）、合成し（Ｓ１７２）、復調し（Ｓ１７３）、ＡＣＫ／ＮＡＣＫ信号を生成する（Ｓ１７４、Ｓ１７５、Ｓ１７６）。基地局では、上位基地局からの同一のＡＣＫ／ＮＡＣＫ信号を受信して（Ｓ１５３、Ｓ１６３）、基地局は、その信号を、移動局に送信する（ＳＳ１５４、Ｓ１６４）。
【００７６】
移動局は、複数の基地局からのＡＣＫ／ＮＡＣＫ信号を受信して、合成し（Ｓ１４２）、ＡＣＫ／ＮＡＣＫを判定する（Ｓ１４３）。
【００７７】
ここでは、複数の基地局からのパケットが合成されるため、受信パケットの信頼度が向上し有効である。上位局で生成されたＡＣＫ／ＮＡＣＫ信号を、サイトダイバーシチ受信を行っている複数の基地局を通じて、移動局へ送信する。移動局では、複数基地局から送信される同一のＡＣＫ／ＮＡＣＫ信号を用いて再送制御を行う。
【００７８】
図１１は、ＣＤＭＡパケット伝送において、複数の基地局から送信された信号を移動局が同時に受信する下りリンクサイトダイバーシチ受信を行う場合に、移動局からフィードバックされたＡＣＫ／ＮＡＣＫ信号を、複数の基地局(基地局数Ｍ)が受信した後、それぞれがＡＣＫ／ＮＡＣＫ信号を上位局へ送信し、複数のＡＣＫ／ＮＡＣＫ信号を合成して、再送制御を行う自動再送要求の制御フローを表した一実施例である。
【００７９】
移動局からのＡＣＫ／ＮＡＣＫ信号が受信されると、各基地局は、上位局へＡＣＫ／ＮＡＣＫ信号を転送する（Ｓ１９２、Ｓ２０２）。上位局において、ＡＣＫ信号がｎ個(１≦ｎ≦Ｍ)以上受信された場合には、そのパケットは、移動局側で正しく復調されたとしＡＣＫ／ＮＡＣＫ（ＲＮＣ）信号をＡＣＫ（ＲＮＣ）と設定し（Ｓ２１１、Ｓ２１２）、ｎ個未満の場合は、正しく復調されなかったとして、ＡＣＫ／ＮＡＣＫ（ＲＮＣ）信号をＮＡＣＫと設定する（Ｓ２１１、Ｓ２１３）。
【００８０】
これにより、下りリンクサイトダイバーシチのために送信を行っている複数の基地局が同一のＡＣＫ／ＮＡＣＫ（ＲＮＣ）信号に従って送信を行うため、移動局においてサイトダイバーシチ効果を得ることができる。
【００８１】
上述の如く本発明の実施例によれば、次に述べる種々の効果を奏することができる。
【００８２】
上りリンクサイトダイバーシチ受信を行っている場合でも、上位局と移動局がパケット誤りの有無の判断を独立に行うことが可能となる。特に移動局では、上位局からの最終的な判断を待つことなく独立に再送制御を行うことができるため、処理遅延を低減できると共に、送信バッファ量を削減することができる。
【００８３】
複数の基地局からのパケットが合成されるため、受信パケットの信頼度が向上される。移動局では、複数基地局から送信される同一のＡＣＫ／ＮＡＣＫ信号を用いて、信頼度の高い再送制御を行うことができる。
【００８４】
下りリンクサイトダイバーシチのために送信を行っている複数の基地局が同一のＡＣＫ／ＮＡＣＫ信号に従って送信を行うため、移動局においてサイトダイバーシチ効果を得ることができる。
【図面の簡単な説明】
【００８５】
【図１】受信側で、３段階以上で示されるＡＣＫ／ＮＡＣＫ信号を生成する場合を説明するための図である。
【図２】受信パケットの信頼度に応じて、受信パケットを保存するか、破棄するかを決定する場合を説明するための図である。
【図３】受信側からフィードバックされるＡＣＫ／ＮＡＣＫ信号に応じて、送信側において、送信パラメータを制御する場合を説明するための図である。
【図４】ＡＣＫ／ＮＡＣＫ信号と送信電力制御コマンドの両信号を複合的に用いる場合を説明するための図である。
【図５】情報伝送速度が減少した場合、送信側でパケットを再構築して再送する場合を説明するための図（その１）である。
【図６】情報伝送速度が減少した場合、送信側でパケットを再構築して再送する場合を説明するための図（その２）である。
【図７】情報伝送速度が上昇した場合、送信側でパケットを再構築して再送する場合を説明するための図（その１）である。
【図８】情報伝送速度が上昇した場合、送信側でパケットを再構築して再送する場合を説明するための図（その２）である。
【図９】ＣＤＭＡパケット伝送において、移動局から送信された信号を複数の基地局が同時に受信する上りリンクサイトダイバーシチ受信を行う場合を説明するための図（その１）である。
【図１０】ＣＤＭＡパケット伝送において、移動局から送信された信号を複数の基地局が同時に受信する上りリンクサイトダイバーシチ受信を行う場合を説明するための図（その２）である。
【図１１】複数の基地局から送信された信号を移動局が同時に受信する下りリンクサイトダイバーシチ受信を行う場合を説明するための図である。
【符号の説明】
【００８６】
ＡＣＫ    受信パケットに誤りがないことを示すＡＣＫ信号
ＮＡＣＫ    誤りが含まれていることを示すＮＡＣＫ信号
【図１】
2006166482.tif 000009
【図２】
2006166482.tif 000010
【図３】
2006166482.tif 000011
【図４】
2006166482.tif 000012
【図５】
2006166482.tif 000013
【図６】
2006166482.tif 000014
【図７】
2006166482.tif 000015
【図８】
2006166482.tif 000016
【図９】
2006166482.tif 000017
【図１０】
2006166482.tif 000018
【図１１】
2006166482.tif 000019